(57)【要約】【課題】  一覧表示されたユーザ情報の中から所望のユーザ情報を選択することで情報処理装置にログイン可能とすることによる利便性を保ちつつ、ユーザ情報の選択ミスの可能性を減らすことを目的とする。【解決手段】  情報処理装置は、ログイン可能なユーザのユーザ情報として、ユーザを識別するためのユーザ識別情報と共に、前記ユーザ識別情報に代えて表示される表示名を登録可能である。情報処理装置は、登録されたユーザ情報の一覧を表示する際に、表示名が登録されているユーザについては当該表示名を表示し、表示名が登録されていないユーザについては当該ユーザのユーザ識別情報を表示する。情報処理装置は、ユーザ情報の一覧に表示される名称に重複が生じないように、表示名の登録を制限する。【選択図】  図１１
2017021582.tif 000002
【特許請求の範囲】
【請求項１】
情報処理装置であって、
前記情報処理装置にログイン可能なユーザのユーザ情報として、ユーザを識別するためのユーザ識別情報と共に、前記ユーザ識別情報に代えて表示される表示名を登録可能な登録手段と、
前記登録手段により登録されたユーザ情報の一覧を表示する際に、前記登録手段により表示名が登録されているユーザについては当該表示名を表示し、表示名が登録されていないユーザについては当該ユーザのユーザ識別情報を表示する表示制御手段と、
前記表示制御手段により表示された表示名又はユーザ識別情報が選択されるのに従って、選択された表示名又はユーザ識別情報に対応するユーザを前記情報処理装置へログインさせるためのログイン処理を行うログイン処理手段と、
前記表示制御手段によりユーザ情報の一覧に表示される名称に重複が生じないように、前記登録手段による表示名の登録を制限する制限手段と、
を有することを特徴とする情報処理装置。
【請求項２】
前記制限手段は、ユーザ情報を新規に登録する際、入力されたユーザの表示名が、ユーザ情報を登録済みの他のユーザの表示名と重複している場合に、当該入力された表示名の登録を制限することを特徴とする請求項１記載の情報処理装置。
【請求項３】
前記制限手段は、ユーザ情報を新規に登録する際、入力された表示名が、ユーザ情報を登録済みであって表示名を未登録の他のユーザのユーザ識別情報と重複している場合、当該入力された表示名の登録を制限することを特徴とする請求項１又は２記載の情報処理装置。
【請求項４】
前記制限手段は、ユーザ情報を新規に登録する際、表示名が未入力の場合であって、入力されたユーザ識別情報が、ユーザ情報を登録済みの他のユーザの表示名と重複している場合に、当該入力されたユーザ識別情報の登録を制限することを特徴とする請求項１から３のいずれか１項に記載の情報処理装置。
【請求項５】
前記制限手段は、登録済みのユーザ情報を編集する際、編集対象のユーザの表示名が空白に変更される場合であって、当該ユーザのユーザ識別情報がユーザ情報を登録済みの他のユーザの表示名と重複している場合に、表示名の空白への変更を制限することを特徴とする請求項１から４のいずれか１項に記載の情報処理装置。
【請求項６】
前記制限手段は、登録済みのユーザ情報を編集する際、編集対象のユーザの変更後の表示名が、ユーザ情報を登録済みの他のユーザの表示名と重複している場合に、当該変更後の表示名の登録を制限することを特徴とする請求項１から５のいずれか１項に記載の情報処理装置。
【請求項７】
前記制限手段は、登録済みのユーザ情報を編集する際、編集対象のユーザの変更後の表示名が、ユーザ情報を登録済みの他のユーザであって表示名を未登録の他のユーザのユーザ識別情報と重複している場合、当該変更後の表示名の登録を制限することを特徴とする請求項１から６のいずれか１項に記載の情報処理装置。
【請求項８】
前記登録手段は、前記情報処理装置にログイン可能なユーザのユーザ識別情報と共にパスワードを登録可能であり、
前記ログイン処理手段は、前記表示制御手段により表示された表示名又はユーザ識別情報が選択されるのに従って、パスワードの入力をユーザに行わせることなく、当該選択された表示名又はユーザ識別情報に対応するユーザを前記情報処理装置へログインさせるためのログイン処理を行い、
更に、前記ログイン処理手段は、前記表示制御手段により表示された認証画面を介して入力されたユーザ識別情報とパスワードと、前記登録手段により登録されたユーザ識別情報とパスワードと、に基づいてユーザの認証を行い、認証が成功するのに従って、当該認証されたユーザを前記情報処理装置へログインさせるためのログイン処理を行うことを特徴とする請求項１から７のいずれか１項記載の情報処理装置ことを特徴とする請求項１から７のいずれか１項に記載の情報処理装置。
【請求項９】
前記ログイン処理手段によるログイン処理を行うのに従って、当該ログインしたユーザに応じたパーソナライズ機能を提供する提供手段を有することを特徴とする請求項１から８のいずれか１項に記載の情報処理装置。
【請求項１０】
前記提供手段は、外部から投入された印刷ジョブを留め置き、前記情報処理装置にログインしたユーザが投入した印刷ジョブのリストを表示し、ユーザによる印刷指示を受けてから当該印刷ジョブに基づく印刷を行う機能を提供することを特徴とする請求項９記載の情報処理装置。
【請求項１１】
記録媒体上に画像を印刷する印刷手段を有することを特徴とする請求項１から１０のいずれか１項に記載の情報処理装置。
【請求項１２】
原稿上の画像を読み取って画像データを生成する読み取り手段を有することを特徴とする請求項１から１１のいずれか１項に記載の情報処理装置。
【請求項１３】
情報処理装置にログイン可能なユーザのユーザ情報として、ユーザを識別するためのユーザ識別情報と共に、前記ユーザ識別情報に代えて表示される表示名を登録可能な登録部を有する情報処理装置の制御方法であって、
前記登録部により登録されたユーザ情報の一覧を表示する際に、表示名が登録されているユーザについては当該表示名を表示し、表示名が登録されていないユーザについては当該ユーザのユーザ識別情報を表示する表示制御工程と、
前記表示制御工程において表示された表示名又はユーザ識別情報が選択されるのに従って、選択された表示名又はユーザ識別情報に対応するユーザを前記情報処理装置へログインさせるためのログイン処理を行うログイン処理工程と、
前記表示制御工程においてユーザ情報の一覧に表示される名称に重複が生じないように、前記登録部による表示名の登録を制限する制限工程と、
を有することを特徴とする情報処理装置の制御方法。
【請求項１４】
コンピュータを、請求項１から１２のいずれか１項に記載の情報処理装置として機能させるためのプログラム。
【発明の詳細な説明】
【技術分野】
【０００１】
本発明は、情報処理装置、情報処理装置の制御方法、及びプログラムに関する。
【背景技術】
【０００２】
コピー、プリント、スキャンした画像の送信などの複数のアプリケーションを持つＭＦＰ（Ｍｕｌｔｉ  Ｆｕｎｃｔｉｏｎ  Ｐｅｒｉｐｈｅｒａｌ）が知られている。また、近年のセキュリティ意識の向上から多くのＭＦＰはユーザ認証を行なう機能を備え、ユーザ名、パスワードを入力することでＭＦＰを利用可能とする画像形成装置が存在する。
【０００３】
一方、最近ではユーザ毎に最適化されたサービスやコンテンツを提供するパーソナライズ機能が求められている。ＭＦＰにおけるパーソナライズの例としてパーソナルプリントがある。これは、ＰＣから投入されたプリントジョブをユーザごとに留め置き、ユーザが認証を行ってＭＦＰにログインすると当該ユーザが投入したジョブのリストを操作パネル上に表示し、ユーザによる印刷指示を受けてから印刷を開始するアプリケーションである。また、他の例として、ＭＦＰにログインした際に最初に表示するデフォルト画面をユーザごとに設定しておき、ユーザがＭＦＰにログインすると、当該設定されたデフォルト画面を表示することができる。
【０００４】
上述のようなユーザ認証機能を利用する場合、ユーザはＭＦＰの操作パネルからユーザ名やパスワードを入力する必要があるため、すぐにＭＦＰを利用したいユーザによっては操作性の面で手間となり、またシステム環境設定などの負荷も高い。よって厳格なセキュリティを求めないオフィス環境によってはユーザ認証機能を導入しないケースもある。しかしながら、ユーザ認証機能を導入しないことによりパーソナライズ機能も利用することができず、利便性を損なっているユーザも存在する。
【０００５】
そこで、ユーザ認証機能におけるユーザ操作の手間を軽減しつつ、簡単にパーソナライズ機能を利用可能とするため、特許文献１のような方法が提案されている。特許文献１では、ログイン可能なユーザとして登録されたユーザ情報に対応するボタン一覧を操作パネル上に表示し、ユーザは自身のユーザ情報に対応するボタンを選択するだけで、パスワードの入力無しにＭＦＰにログイン可能となる。  
【先行技術文献】
【特許文献】
【０００６】
【特許文献１】特開２０１２−２５４６１８
【発明の概要】
【発明が解決しようとする課題】
【０００７】
パスワードの入力無しに、ユーザ情報に対応するボタンを選択するだけでログイン可能とすると、ＭＦＰへのログインが簡単になる半面、間違って他のユーザのボタンを押下すると、当該他のユーザとしてログインされてしまうことになる。よって、このようなボタンの選択ミスを減らすため、各ユーザが自分のボタンを容易に識別できるような情報をボタン上に表示することが望ましい。
【０００８】
上記特許文献１では、ユーザを一意に識別するためのユーザ名とは別に表示名を別途登録可能とし、表示名が登録されているユーザに関してはボタン上に表示名を表示し、表示名が登録されていないユーザに関してはユーザ名を表示している。このように、ボタン上に表示する表示名を任意に登録可能とすることで、ユーザは自らのボタンを認識しやすくなる。
【０００９】
一方、各ユーザがどのような表示名でも自由に登録できるようにすると、同じ名称のボタンが複数存在する可能性がある。例えば、新たに登録した表示名が既に他ユーザ用に登録されている表示名と重複した場合、同じ名称のボタンが複数存在することになり、自分のボタンがどれか分かりにくくなってしまう。また、新たに登録した表示名が、表示名を未登録の他ユーザのユーザ名と重複した場合も同様に同じ名称のボタンが複数存在することになる。これは、表示名を新たに登録する場合に限らず、既に登録された表示名を変更する場合にも生じうる。
【００１０】
本発明は、一覧表示されたユーザ情報の中から所望のユーザ情報を選択することで情報処理装置にログイン可能とすることによる利便性を保ちつつ、ユーザ情報の選択ミスのリスクを低減すことを目的とする。
【課題を解決するための手段】
【００１１】
上記課題を解決するため、本発明は、情報処理装置であって、
前記情報処理装置にログイン可能なユーザのユーザ情報として、ユーザを識別するためのユーザ識別情報と共に、前記ユーザ識別情報に代えて表示される表示名を登録可能な登録手段と、
前記登録手段により登録されたユーザ情報の一覧を表示する際に、前記登録手段により表示名が登録されているユーザについては当該表示名を表示し、表示名が登録されていないユーザについては当該ユーザのユーザ識別情報を表示する表示制御手段と、
前記表示制御手段により表示された表示名又はユーザ識別情報が選択されるのに従って、選択された表示名又はユーザ識別情報に対応するユーザを前記情報処理装置へログインさせるためのログイン処理を行うログイン処理手段と、
前記表示制御手段によりユーザ情報の一覧に表示される名称に重複が生じないように、前記登録手段による表示名の登録を制限する制限手段と、
を有することを特徴とする。
【発明の効果】
【００１２】
本発明によれば、一覧表示されたユーザ情報の中から所望のユーザ情報を選択することで情報処理装置にログイン可能とすることによる利便性を保ちつつ、ユーザ情報の選択ミスのリスクを低減することができる。
【図面の簡単な説明】
【００１３】
【図１】システムの全体構成を示す図
【図２】ＭＦＰ１０１のハードウェア構成を示すブロック図
【図３】ＭＦＰ１０１のソフトウェア構成を示すブロック図
【図４】ユーザ選択画面、及びユーザ認証画面の画面例を示す図
【図５】メインメニュー画面の画面例を示す図
【図６】個人設定画面の画面例を示す図
【図７】パーソナルプリントの画面例を示す図
【図８】言語設定が英語に設定されたときのメインメニュー画面の画面例を示す図
【図９】パーソナルプリントによるユーザ自動登録の流れを示す図
【図１０】ユーザ情報の登録画面、及び編集画面の画面例を示す図
【図１１】ユーザ情報を新規に追加する場合の登録成功・失敗のパターンを示した図
【図１２】ユーザ情報を新規に追加する場合の処理を示したフローチャート
【図１３】ユーザ情報を編集する場合の登録成功・失敗のパターンを示した図
【図１４】ユーザ情報を編集する場合の登録成功・失敗のパターンを示した図
【図１５】ユーザ情報を編集する場合の処理を示したフローチャート
【発明を実施するための形態】
【００１４】
以下、図面を参照して本発明の実施の形態を詳しく説明する。尚、以下の実施の形態は特許請求の範囲に係る発明を限定するものでなく、また実施の形態で説明されている特徴の組み合わせの全てが発明の解決手段に必須のものとは限らない。
【００１５】
＜システム構成＞
図１は、画像形成装置であるＭＦＰ１０１と関連するシステムの全体構成を示した図である。ＭＦＰ１０１とＰＣ１０２はＬＡＮ１００を介して通信可能に接続されている。ＰＣ１０２からＭＦＰ１０１に対してＬＡＮ１００経由で印刷ジョブが送信される。ＭＦＰ１０１は少なくともパーソナルプリント機能を有する。すなわち、ＭＦＰ１０１は、ＰＣ１０２から送信された印刷ジョブを留め置き、ユーザがＭＦＰにログインすると当該ユーザが投入したジョブのリストを表示し、ユーザによる印刷指示を受けてから印刷を行うことが可能である。
【００１６】
＜ハードウェア構成＞
図２は、ＭＦＰ１０１のハードウェア構成の一例を示す図である。
【００１７】
図２において、コントローラユニット２１６は、画像入力デバイスとして機能するスキャナ２１４や、画像出力デバイスとして機能するプリンタ２１２と接続されている。一方、コントローラユニット２１６は、ＬＡＮや公衆回線（ＷＡＮ）（例えば、ＰＳＴＮまたはＩＳＤＮ等）と接続することで、画像データやデバイス情報の入出力も行なう。
【００１８】
コントローラユニット２１６において、ＣＰＵ２０１は、システム全体を制御するプロセッサである。ＲＡＭ２０２は、ＣＰＵ２０１が動作するためのシステムネットワークメモリであり、プログラムを記録するためのプログラムメモリや、画像データを一時記録するための画像メモリでもある。
【００１９】
ＲＯＭ２０３には、システムのブートプログラムや各種制御プログラムが格納されている。ハードディスクドライブ（ＨＤＤ）２０４には、システムを制御するための各種プログラム、画像データ、ユーザ認証・識別に必要なユーザ情報等が格納される。
【００２０】
操作部インタフェース（操作部Ｉ／Ｆ）２０７は、操作部（ＵＩ）２０８とのインタフェース部であり、操作部２０８に表示する画像データを操作部２０８に対して出力する。
【００２１】
また、操作部Ｉ／Ｆ２０７は、操作部２０８から本システム使用者が入力した情報（例えば、ユーザ情報等）をＣＰＵ２０１に伝える役割をする。なお、操作部２０８はタッチパネルを有する表示部を備え、該表示部に表示されたボタンを、ユーザが押下（指等でタッチ）することにより、各種指示を行うことができる。
【００２２】
ネットワークインタフェース（Ｎｅｔｗｏｒｋ  Ｉ／Ｆ）２０５は、ネットワーク（ＬＡＮ）に接続し、データの入出力を行う。モデム（ＭＯＤＥＭ）２０６は、公衆回線に接続し、ＦＡＸの送受信等のデータの入出力を行う。
【００２３】
外部インタフェース（外部Ｉ／Ｆ）２１８は、ＵＳＢ、ＩＥＥＥ１３９４、プリンタポート、ＲＳ−２３２Ｃ等の外部入力を受け付け、例えば認証で必要となるＩＣカードの読み取り用のカードリーダ２１９が接続される。そして、ＣＰＵ２０１は、この外部Ｉ／Ｆ２１８を介してカードリーダ２１９によるＩＣカードからの情報読み取りを制御し、該ＩＣカードから読み取られた情報を取得可能である。以上のデバイスがシステムバス２０９上に配置される。
【００２４】
イメージバスインタフェース（ＩＭＡＧＥ  ＢＵＳ  Ｉ／Ｆ）２２０は、システムバス２０９と画像データを高速で転送する画像バス２１５とを接続し、データ構造を変換するバスブリッジである。画像バス２１５は、ＰＣＩバスまたはＩＥＥＥ１３９４で構成される。画像バス２１５上には以下のデバイスが配置される。
【００２５】
ラスタイメージプロセッサ（ＲＩＰ）２１０は、例えば、ＰＤＬコード等のベクトルデータをビットマップイメージに展開する。プリンタインタフェース（プリンタＩ／Ｆ）２１１は、プリンタ２１２とコントローラユニット２１６を接続し、画像データの同期系／非同期系の変換を行う。また、スキャナインタフェース（スキャナＩ／Ｆ）２１３は、スキャナ２１４とコントローラユニット２１６を接続し、画像データの同期系／非同期系の変換を行う。
【００２６】
画像処理部２１７は、入力画像データに対し補正、加工、編集を行うなど、プリント出力画像データに対して、プリンタの補正、解像度変換等を行う。また、これに加えて、画像処理部２１７は、画像データの回転や、多値画像データに対してはＪＰＥＧ、２値画像データはＪＢＩＧ、ＭＭＲ、ＭＨ等の圧縮伸張処理を行う。
【００２７】
スキャナ２１４は、原稿上の画像を照明し、ＣＣＤラインセンサで走査することで、ラスタイメージデータを生成する。原稿用紙は原稿フィーダのトレイにセットし、装置使用者が操作部２０８から読み取り起動指示することにより、ＣＰＵ２０１がスキャナ２１４に指示を与え、フィーダは原稿用紙を１枚ずつフィードし原稿画像の読み取り動作を行う。
【００２８】
プリンタ２１２は、ラスタイメージデータを記録媒体上の画像に変換する部分であり、その方式は感光体ドラムや感光体ベルトを用いた電子写真方式、微少ノズルアレイからインクを吐出して用紙上に直接画像を印字するインクジェット方式等がある。プリント動作の起動は、ＣＰＵ２０１からの指示によって開始する。なお、プリンタ２１２には、異なる用紙サイズまたは異なる用紙向きを選択できるように複数の給紙段を持ち、それに対応した用紙カセットがある。
【００２９】
操作部２０８は、ＬＣＤ表示部を有し、ＬＣＤ上にタッチパネルシートが貼られており、システムの操作画面を表示するとともに、表示してあるキーが押されるとその位置情報を操作部Ｉ／Ｆ２０７を介してＣＰＵ２０１に伝える。また、操作部２０８は、各種操作キーとして、例えば、スタートキー、ストップキー、ＩＤキー、リセットキー等を備える。
【００３０】
カードリーダ２１９は、ＣＰＵ２０１からの制御により、ＩＣカード内に記憶されている情報を読み取り、該読み取った情報を外部Ｉ／Ｆ２１８を介してＣＰＵ２０１へ通知する。
【００３１】
以上のような構成によって、ＭＦＰ１０１は、スキャナ２１４から読み込んだ画像データをＬＡＮ１００上に送信したり、ＬＡＮ１００から受信した印刷データをプリンタ２１２により印刷出力することができる。
【００３２】
また、ＭＦＰ１０１は、スキャナ２１４から読み込んだ画像データをモデム２０６により、公衆回線上にＦＡＸ送信したり、公衆回線からＦＡＸ受信した画像データをプリンタ２１２により出力することができる。
【００３３】
＜ソフトウェア構成＞
図３は、ＭＦＰ１０１のソフトウェア構成の一例を示すブロック図である。
【００３４】
画面表示管理部３０１は、操作部２０８に何を表示するかを制御する。
【００３５】
コピー３０２、スキャンして送信３０３、パーソナルプリント３０４は、ＭＦＰ１０１で動作するアプリケーションの例である。コピー３０２は、スキャナ２１４で原稿上の画像を読み取って得られた画像データに基づいてプリンタ２１２で印刷するコピー処理を行うためのアプリケーションである。スキャンして送信３０３は、スキャナ２１４によりスキャンされた画像をメール等で外部に送信するアプリケーションである。パーソナルプリント３０４は、ＰＣ１０２から投入されたプリントジョブを留め置き、ユーザがＭＦＰ１０１にログインすると、当該ユーザが投入したプリントジョブのリストを表示し、ユーザによる印刷指示を待ってから印刷するアプリケーションである。
【００３６】
ユーザ情報記憶部３０５は、ＭＦＰ１０１にログイン可能なユーザに関するユーザ情報を記憶する。ユーザ情報記憶部３０５に記憶可能なユーザ情報の一例を表１に示す。
【００３７】
【表１】
2017021582.tif 000003
ユーザ名は、ユーザを一意に識別するためのユーザ識別情報である。表示名は、図４（Ａ）に示すユーザ選択画面４００でユーザ名の代わりに表示する際に設定される名称であり、設定するか否かは任意である。詳細は後述するが、表示名が設定されている場合にはユーザ選択画面４００に表示名が表示され、表示名が設定されていない場合にはユーザ選択画面４００にユーザ名が表示される。パスワードはユーザ認証で使用される認証情報であり、ユーザ毎に任意の値を設定することができる。
【００３８】
ユーザ認証部３０６は、図４（Ｂ）に示すユーザ認証画面４０９を介して入力された情報と、ユーザ情報記憶部３０５に記憶されている情報とを比較することでユーザ認証を行う。また、ユーザ認証部３０６は、カードリーダ２１９によりカードから読み取った情報と、ユーザ情報記憶部３０５に記憶されている情報とを比較することによりユーザ認証を行うことも可能である。
【００３９】
ログイン処理部３０７は、ユーザ選択画面４００で選択されたボタンに対応するユーザをＭＦＰ１０１にログインさせるためのログイン処理を行う。また、ログイン処理部３０７は、ユーザ認証部３０６により認証されたユーザをＭＦＰ１０１にログインさせるためのログイン処理を行う。
設定管理部３０８は、ＭＦＰ１０１に関する各種設定を一元的に管理する。＜画面例＞
図４（Ａ）は、ＭＦＰ１０１にログインするユーザを選択させるためのユーザ選択画面４００の画面例を示した図である。ユーザ選択画面４００は、ＭＦＰ１０１が起動した際に最初に操作部２０８に表示される画面である。
【００４０】
ユーザ選択画面４００には、ユーザ情報記憶部３０５に記憶されたユーザ情報に対応するボタン４０１〜４０５、キーボード認証ボタン４０６、ユーザ登録ボタン４０７、ユーザ編集ボタン４０８が表示される。ボタン４０１〜４０５上には、ユーザ情報に表示名が設定されている場合はその表示名が表示され、表示名が設定されていない場合にはユーザ名が表示されるよう表示制御が行われる。本例では、表１で説明した通り、「ＵｓｅｒＡ＠Ｄ」、「ＵｓｅｒＣ」については表示名が設定されているため、ボタン４０２、４０５に示すように表示名「Ａ」、「Ｃ」が表示されている。その他のユーザについては表示名が設定されていないため、ボタン４０１、４０３、４０５に示すようにユーザ名が表示されている。ユーザによりいずれかのボタンが押下されると、ＭＦＰ１０１へのログイン処理が行われ、図５に示すメインメニュー画面５００が表示される。
【００４１】
キーボード認証ボタン４０６が押下されると、図４（Ｂ）に示すユーザ認証画面４０９が表示される。ユーザ認証画面４０９は、ＭＦＰ１０１のユーザ認証機能を利用するために、ユーザ名とパスワードの入力を受け付けるための画面である。ユーザ名領域４１０は、ユーザがユーザ名を入力するためのフィールドである。パスワード領域４１１は、ユーザがパスワードを入力するためのフィールドである。ログインボタン４１３は、ＭＦＰ１０１へのログインを指示するためのボタンである。ログインボタン４１３が押下されると、ユーザ認証部３０６は、操作部２０８を介して入力されたユーザ名とパスワードの組合せが、ユーザ情報記憶部３０５に記憶されているユーザ情報に存在するか否かを確認することでユーザ認証を行う。ユーザ認証が成功すると、ＭＦＰ１０１へのログイン処理が行われ、メインメニュー画面５００が表示される。キャンセルボタン４１２は、ユーザ認証画面４０９によるユーザ認証をキャンセルするためのボタンである。ユーザによりキャンセルボタン４１２が押下されると、ユーザ選択画面４００へ画面遷移する。このように、ユーザ認証画面４０９からＭＦＰ１０１にログインする場合、ユーザはユーザ名とパスワードを入力する必要がある。一方、ユーザ選択画面４００からＭＦＰ１０１にログインする場合、パスワードの入力は不要であり、ユーザ情報に対応するボタン４０１〜４０５を押下するだけで、そのユーザとしてＭＦＰ１０１にログイン可能となる。
【００４２】
ユーザ登録ボタン４０７が押下されると、図１０（Ａ）に示すユーザ登録画面１０００が表示される。ユーザ編集ボタン４０８が押下されると、ユーザ情報を編集するユーザを選択するための画面が表示され、その中からいずれかのユーザが選択されると、選択されたユーザのユーザ情報を編集するための編集画面１０１０（図１０（Ｂ））が表示される。ユーザ登録、編集の方法については後述する。
【００４３】
図５は、ユーザが使用する機能を選択するためのメインメニュー画面５００の画面例を示した図である。この画面例では、５０１、５０２、５０３のアプリケーションボタンと、５０４、５０５の設定編集ボタンが登録されている。５０１はコピー、５０２はスキャンして送信、５０３はパーソナルプリントの各種アプリケーションを起動するためのボタンである。５０４は、ＭＦＰ１０１の設定を編集するためのボタンであり、５０５はログインしているユーザの設定を編集するためのボタンである。メインメニュー画面５００上の各機能のボタンが押されると、押されたボタンに対応する機能の画面が呼び出される。例えば、パーソナルプリントボタン５０３が押下されると、ＰＣ１０２から送信され、留め置かれた印刷ジョブに基づいてプリンタ２１２で印刷するためのパーソナルプリントアプリケーションが起動し、図７に示す画面が操作部２０８に表示される。また、個人設定ボタン５０５が押下されると、図６に示すような、ＭＦＰ１０１にログインしたユーザに関する個人設定を行うための設定画面が表示される。
【００４４】
図６は個人設定ボタン５０５が押下された際に表示される個人設定画面６００の例を示した図である。
【００４５】
個人設定可能な項目として、「ログイン時に表示する画面」６０１、「言語／キーボード配列」６０２、「アクセシビリティー」６０３の３つの設定項目が存在する。
【００４６】
６０１はログイン時に表示する画面（以下、デフォルト画面）を設定するものである。ボタン６０１が押下されると、デフォルト画面を設定するための画面（不図示）が表示され、当該画面を介してユーザは所望の画面をデフォルト画面として設定する。例えばデフォルト画面を「メインメニュー画面」に設定していれば、ログイン時には図５のようなメインメニュー画面が表示される。一方、デフォルト画面を「パーソナルプリント」に設定している場合は、ログイン時には図７のようなパーソナルプリントのアプリケーションの画面が表示される。
【００４７】
６０２は言語／キーボード配列を設定するものである。ボタン６０２が押下されると、操作部２０８に表示される言語、及びソフトキーボードの配列を設定するための画面（不図示）が表示され、当該画面を介して言語／キーボード配列が設定される。例えば言語を「英語」に設定すると、図５に示したメインメニュー画面５００は、図８で示すよう英語表記のメインメニュー画面８００に切り替わる。そして、設定したユーザが次にＭＦＰ１０１にログインした場合には、日本語表記のメインメニュー画面５００でなく、英語表記のメインメニュー画面８００が表示されることとなる。
【００４８】
６０３は、画面の表示色を反転させたり、音声ガイドの設定をしたりすることが出来る設定である。
【００４９】
図７は、ユーザ名「ＵｓｅｒＡ＠Ｄ」としてＭＦＰ１０１にログインした後、メインメニュー画面５００でパーソナルプリントボタン５０３を押下した場合に表示されるジョブリスト一覧画面７００の画面例を示した図である。印刷ジョブリストには、ＰＣ１０２からユーザ名「ＵｓｅｒＡ＠Ｄ」の印刷ジョブとして投入され、留め置かれた印刷ジョブの一覧が表示される。ユーザは印刷ジョブリストの中から任意の文書を選択し、印刷開始ボタンを押下することで、プリンタ２１２による印刷を行うことができる。また、任意の文書を選択し、削除ボタンを押下することで、印刷ジョブリストから任意のジョブを削除することもできる。印刷ジョブを選択する際は、全選択ボタンを押下することで、全印刷ジョブをまとめて選択することも可能である。
【００５０】
このように、ＭＦＰ１０１は、ログインしたユーザに応じた適切な機能を提供するパーソナライズ機能を有する
＜ユーザ登録＞
次にユーザの登録方法について説明する。
【００５１】
ユーザの登録方法としては大きく分けて２つある。一つはユーザ選択画面４００におけるユーザ登録ボタン４０７の押下に応じて表示されるユーザ登録画面１０００を介して登録する方法である。もう一つは、プリントジョブ投入時にプリントジョブに含まれる情報に基づいてユーザを自動登録する方法である。
【００５２】
図１０（Ａ）は、ユーザ登録画面１０００の画面例を示した図である。ユーザ登録画面１０００を介して、ユーザ名１００１、表示名１００２、パスワード１００３を入力することができる。上述した通り、表示名を設定するか否かは任意である。これらの値を入力後にＯＫボタン１００５が押下されると、入力された情報がユーザ情報として登録され、ユーザ情報記憶部３０５に記憶される。
【００５３】
図９はプリントジョブに基づくユーザ自動登録の流れを示した図である。ＰＣ１０２からプリントジョブが投入されると、パーソナルプリント３０４は当該プリントジョブを受信する。そして、パーソナルプリント３０４は、受信したプリントジョブに付加された投入者情報（ジョブオーナー情報）を解析し、ユーザ情報としてユーザ情報記憶部３０５に登録する。
【００５４】
投入者情報にはユーザ名が含まれている。また、ＰＣ１０２がドメイン環境化にある場合、投入者情報にドメイン名が含まれる。ユーザ情報記憶部３０５には、投入者情報に含まれるユーザ名とドメイン名を「＠」で連結した形式（ユーザ名＠ドメイン）でユーザ名として登録される。なお、ＰＣ１０２がドメインに所属しない環境下にある場合、投入者情報にドメイン名は含まれないため、ドメイン名の代わりにコンピュータ名を「＠」で連結した形式（ユーザ名＠コンピューター名）でユーザ名として登録される。例えば、前述の表１ではユーザ名「ＵｓｅｒＢ＠ＰｃＡ」のユーザ情報が登録されているが、これはユーザ名がＢ、コンピュータ名がＰｃＡの投入者情報を含むプリントジョブに基づいて自動登録されたものである。
【００５５】
このように、本実施形態におけるＭＦＰ１０１は、ユーザ情報の手動登録の他にプリントジョブに基づく自動登録が可能であるため、簡易的にユーザ情報を登録することが可能である。
【００５６】
なお、プリントジョブに基づく自動登録の場合、ユーザ名が自動で設定されるため、利用者が認識しにくい名称で登録されてしまうこともある。よって、このような場合、ユーザ選択画面４００のユーザ編集ボタン４０８を介して表示名を設定することで、ユーザが認識しやすい名称をユーザ選択画面４００上に表示させることが可能である。
【００５７】
図１０（Ｂ）はユーザ情報の編集画面１０１０の画面例を示した図である。１０１１〜１０１５は図１０（Ａ）の１００１〜１００５と同様である。ユーザは、ユーザ情報の手動登録、又は自動登録を行った後、当該編集画面１０１０を介して表示名やパスワードを変更することが可能である。
【００５８】
ここで、上述した通り、ユーザ選択画面４００からＭＦＰ１０１にログインする場合、パスワードの入力は不要であり、ユーザ情報に対応するボタン４０１〜４０５を押下するだけで、そのユーザとしてＭＦＰ１０１にログイン可能となる。よって、誤って他のユーザのボタンを押下すると、当該他のユーザとしてＭＦＰ１０１へログインされ、当該の他ユーザ用にパーソナライズされた画面が表示されることとなる。その結果、例えばパーソナルプリントで他のユーザが投入したプリントジョブを間違って実行してしまう等の問題が生じる可能性がある。そこで、本実施形態では、ユーザによるボタンの選択ミスを減らすために、ユーザ選択画面４００上のボタンに表示される名称が重複しないようにするための方法について説明する。
【００５９】
図１１は、ユーザ登録画面１０００を介してユーザ情報を新規に追加する場合の登録成功・失敗のパターンを示したものである。ユーザ情報記憶部３０５には１１０１〜１１０５に示す５つのユーザ情報が既に登録されているものとする。ここではユーザ情報として、ユーザ名と表示名についてのみ示している。
【００６０】
１１１１は、ユーザ名を「ＵｓｅｒＤ」、表示名を空白（未入力）とした例である。このユーザ名「ＵｓｅｒＤ」は１１０５で既に登録されておりユーザ名の重複が発生するため登録エラーとなる。
【００６１】
１１１２はユーザ名を「ＡｄｄＡ」、表示名を「Ａ」とした例である。この場合、ユーザ名は既存のユーザ名と重複していないが、表示名「Ａ」が１１０２で既に登録されており、表示名の重複が発生するため登録エラーとなる。
【００６２】
１１１３はユーザ名を「Ａ」、表示名を空白（未入力）とした例を示している。この場合、ユーザ名「Ａ」は既存のユーザ名と重複していないが、表示名「Ａ」が１４０４で登録されており、表示の際に重複するため登録エラーとなる。このように、新規に登録されるユーザ名が既存の表示名と重複している場合も、登録エラーとなる。
【００６３】
一方、１１１４はユーザ名を「Ａ」、表示名を「ＡｄｄＡ」とした例を示している。この場合、ユーザ名「Ａ」は１４０４の表示名と重複しているが、表示名「ＡｄｄＡ」が既存の表示名とは重複しておらず、ユーザ選択画面４００上で「ＡｄｄＡ」と表示されるボタンが他にはないため、登録成功となる。
【００６４】
図１２は、ユーザ情報を新規に追加する場合の処理を示したフローチャートである。本フローチャートで示す処理を実行するためのプログラムが制御部２００のＲＡＭ２０２、ＲＯＭ２０３、ＨＤＤ２０４のいずれかに記憶され、ＣＰＵ２０１により実行される。
【００６５】
ユーザ選択画面４００上のユーザ登録ボタン４０７が押下されると、ＣＰＵ２０１はユーザ登録画面１０００を操作部２０８に表示する（Ｓ１２０１）。ユーザ登録画面１０００上で少なくともユーザ名１００１が入力され、ＯＫボタン１００５が押下されると、ＣＰＵ２０１はＳ１２０２〜Ｓ１２０５の判定処理を行う。
【００６６】
まず、ＣＰＵ２０１は、ユーザ情報記憶部３０５に記憶されているユーザ情報を検索し、既に登録されているユーザ名の中に、入力されたユーザ名と一致しているものがあるか否かを判定する（Ｓ１２０２）。すなわち、入力されたユーザ名と既存のユーザ名が重複しているか否かが判定される。一致しているものがあると判定された場合、ＣＰＵ２０１は登録エラーとし、ユーザ名が重複しているため登録出来ない旨を操作部２０８に表示する（Ｓ１２０９）。これは図１１の１１１１のケースに相当する。
【００６７】
一致しているものがないと判定された場合、ＣＰＵ２０１は、表示名が空であるか否かを判定する（Ｓ１２０３）。表示名が空であると判定された場合、ＣＰＵ２０１は、既に登録されている表示名の中に、入力されたユーザ名と一致しているものがあるか否かを判定する（Ｓ１２０５）。すなわち、入力されたユーザ名と既存の表示名が重複しているか否かが判定される。一致しているものがあると判定された場合、登録エラーとし、この表示名では登録できない旨を操作部２０８に表示する（Ｓ１２０９）。これは、図１１の１１１３のケースに相当する。一致しているものがないと判定された場合、登録成功となり、ＣＰＵ２０１は入力されたユーザ名を含むユーザ情報を、ユーザ情報記憶部３０５に新たに記憶する（Ｓ１２０８）。
【００６８】
Ｓ１２０３において、表示名が空でないと判定された場合、すなわち、何らかの文字列が表示名として入力された場合、登録済みのユーザの表示名の中に、入力された表示名と一致しているものがあるか否かを判定する（Ｓ１２０４）。すなわち、入力された表示名と既存の表示名が重複しているか否かが判定される。一致しているものがあると判定された場合、登録エラーとし、この表示名では登録できない旨を操作部２０８に表示する（Ｓ１２０９）。これは、図１１の１１１２のケースに相当する。Ｓ１２０４において、一致しているものがないと判定された場合、ＣＰＵ２０１は、既に登録されているユーザ名の中に、入力された表示名と一致しているものがあるか否かを判定する（Ｓ１２０６）。すなわち、入力された表示名と既存のユーザ名が重複しているか否かが判定される。一致しているものがあると判定された場合、ＣＰＵ２０１はさらにそのユーザが表示名を設定しているか否かを判定する（Ｓ１２０７）。そのユーザが表示名を設定していない場合には、ＣＰＵ２０１は登録エラーとし、当該表示名では登録できない旨を操作部２０８に表示する（Ｓ１２０９）。
【００６９】
Ｓ１２０６において、入力された表示名と既存のユーザ名が重複していないと判定された場合、及び、Ｓ１２０７においてユーザ名は重複しているが当該ユーザが別途表示名を設定していると判定された場合、登録成功となる。そして、ＣＰＵ２０１は入力されたユーザ名と表示名とを含むユーザ情報を、ユーザ情報記憶部３０５に新たに記憶する（Ｓ１２０８）。
【００７０】
このように、ＭＦＰ１０１では、新たにユーザ情報を登録する際に、ユーザ選択画面４００のボタン上に表示される名称に重複が生じないようユーザ名及び表示名の登録を制限する。
【００７１】
図１３は、ユーザ情報の編集画面１０１０を介してユーザ情報を編集する場合の登録成功・失敗のパターンを示したものである。ユーザ情報記憶部３０５には、１３０１〜１３０６に示す６つのユーザ情報が登録されているものとする。その時に１３０に示すユーザ名「ＡｄｄＡ」の表示名の変更を行った場合にどのような結果になるのかを表している。
【００７２】
１３１１は、表示名を「Ａ」に変更する例を示している。この場合、表示名「Ａ」は１３０２で既に使用されており、表示名の重複が発生するため登録エラーとなる。
【００７３】
１３１２は、表示名を「ＵｓｅｒＤ」に変更する例を示している。この場合、表示名「ＵｓｅｒＤ」は他に使用されていないが、１３０５で既に「ＵｓｅｒＤ」というユーザ名が存在している。そして、「ＵｓｅｒＤ」には表示名が設定されておらず、ユーザ選択画面４００上で「ＵｓｅｒＤ」と表示されるボタンが複数になるため、登録エラーとなる。このように、変更後の表示名が既存のユーザ名と重複している場合も登録エラーとする。
【００７４】
１１１３は、表示名を「ＵｓｅｒＣ」に変更する例を示している。この場合は、１１０６に「ＵｓｅｒＣ」というユーザ名が既に登録されているが、この「ＵｓｅｒＣ」が表示名を「Ｃ」として設定している。この場合はユーザ選択画面４００上のボタンに同一の名称が表示されることはないため、登録は成功となる。
【００７５】
図１４は、ユーザ情報を編集する場合の別の例を示した図である。ユーザ情報記憶部３０５には、１４０１〜１４０６に示す６つのユーザ情報が登録されているものとする。ズ１３と比較すると、１４０５、１４０６の表示名が１３０５、１３０６の表示名と異なるものとなっている。
【００７６】
ここでは、１４１１のように、１４０６で示すユーザ名「ＡｄｄＡ」のユーザが表示名を空にする例を表している。ユーザ名を空にしようとすると、ユーザ名「ＡｄｄＡ」がユーザ選択画面４００上に表示されることとなる。しかしながら、「ＡｄｄＡ」は１４０５で表示名として既に使用されており、ユーザ選択画面４００上のボタンに同一の名称が表示されることとなるため、登録エラーになる。
【００７７】
図１５は表示名の変更を行う場合の処理を示したフローチャートである。本フローチャートで示す処理を実行するためのプログラムが制御部２００のＲＡＭ２０２、ＲＯＭ２０３、ＨＤＤ２０４のいずれかに記憶され、ＣＰＵ２０１により実行される。
【００７８】
ユーザ選択画面４００上のユーザ編集ボタン４０８が押下されると、ＣＰＵ２０１はユーザ情報の編集画面１０１０を操作部２０８に表示する（Ｓ１５０１）。編集画面１０１０上で表示名が変更され、ＯＫボタン１０１５が押下されると、ＣＰＵ２０１はＳ１５０２〜Ｓ１５０６の判定処理を行う。
【００７９】
まず、ＣＰＵ２０１は、変更後の表示名が空か否かを判定する（Ｓ１５０２）。表示名が空である場合、ユーザ情報記憶部３０５に記憶されているユーザ情報を検索し、既に登録されている表示名の中に、当該ユーザ名と一致しているものがあるか否かを判定する（Ｓ１５０３）。すなわち、表示名が空になったユーザのユーザ名と、既存の表示名が重複しているか否が判定される。一致しているものがあると判定された場合、ＣＰＵ２０１は登録エラーとし、表示名の変更が認められない旨を操作部２０８に表示する（Ｓ１５０８）。これは、図１４の１４１１のケースに相当する。Ｓ１５０２において、表示名が空でないと判定された場合、ＣＰＵ２０１は、既に登録されている表示名の中に、変更された表示名と一致しているものがあるか否かを判定する（Ｓ１５０４）。すなわち、変更後の表示名と既存の表示名が重複しているか否かが判定される。一致しているものがあると判定された場合、表示名の重複が発生するため、ＣＰＵ２０１は登録エラーとし、表示名の変更が認められない旨を操作部２０８に表示する（Ｓ１５０８）。これは、図１３の１３１１のケースに相当する。
【００８０】
Ｓ１５０４において表示名の重複がないと判定された場合、ＣＰＵ２０１は既に登録されているユーザ名の中に、変更後の表示名と一致しているものがあるか否かを判定する（Ｓ１５０５）。すなわち、変更後の表示名と既存のユーザ名が重複しているか否かが判定される。一致しているものがあると判定された場合、ＣＰＵ２０１はさらにそのユーザが表示名を設定しているか否かを判定する（Ｓ１５０６）。そのユーザが表示名を設定していない場合には、ＣＰＵ２０１は登録エラーとし、表示名の変更が認められない旨を操作部２０８に表示する（Ｓ１５０８）。これは、図１３の１３１２のケースに相当する。上記のエラー条件に合致しない場合は、登録成功となり、ＣＰＵ２０１は変更後の表示名をユーザ情報記憶部３０５に記憶する（Ｓ１５０７）。
【００８１】
このように、ＭＦＰ１０１では、既存のユーザ情報のユーザ名を変更する際にも、ユーザ選択画面４００のボタン上に表示される名称に重複が生じないよう、表示名の登録を制限する。
【００８２】
以上のように、本実施形態によれば、ユーザ情報を新規に登録する場合も既存のユーザ情報を編集する場合も、ユーザ選択画面４００のボタン上に同一の名称が表示されないよう、表示名の登録が制限される。より具体的には、新規にユーザ情報を登録する際には、これにより、ユーザによるボタンの選択ミスを減らすことができる。
【００８３】
なお、図１２のＳ１２０９、及び図１５のＳ１５０８では、登録エラーをユーザに通知するものとして説明したが、単にエラーを通知するのでなく、他の表示名への変更を促す通知をしてもよい。例えば、登録しようとした表示名が、既存の他のユーザのユーザ名と重複している場合、「この表示名は登録できません。他の表示名にして下さい」等のメッセージを表示するようにしてもよい。
【００８４】
また、上記説明では、ユーザ選択画面４００上に表示されるボタン上には、ユーザ名、又は表示名のいずれかのみ表示する場合について説明したが、アイコン画像等を共に表示するようにしてもよい。また、ユーザ選択画面４００ではボタンではなくリストなどを使ってユーザの選択をさせても良い。
【００８５】
また、上記説明では、ＭＦＰ１０１の起動後にユーザ選択画面４００を表示し、ユーザがログインした後にメインメニュー画面５００を表示するものとして説明した。しかしながら、ＭＦＰ１０１の設定によっては、メインメニュー画面５００を先に表示し、ユーザにより機能が選択された後にユーザ選択画面４００を表示するようにしてもよい。例えば、コピー機能は誰でも利用可能とし、パーソナルプリント機能やスキャンして送信機能は登録されたユーザのみが利用可能とする、といった運用を行う場合に有効である。この場合、メインメニュー画面５００でコピーボタン５０１が押下された場合は、ユーザ選択画面４００を表示することなく、コピー設定画面に遷移させ、その他のボタンが押下された場合はユーザ選択画面４００を表示するようにすればよい。
【００８６】
また、上記実施形態ではコピー機能、スキャナ機能、プリント機能等の複数の機能を有する画像形成装置を例として説明したが、このうち一部の機能のみを有する画像処理装置にも本発明は適用可能である。また、パーソナルコンピュータやＰＤＡ、携帯電話、ＦＡＸ、カメラ、ビデオカメラ、その他の画像ビューワ等、他の情報処理装置に適用しても構わない。
【００８７】
以上のように、上記実施形態における情報処理装置は、ログイン可能なユーザのユーザ情報として、ユーザを識別するためのユーザ識別情報と共に、前記ユーザ識別情報の代わりに表示される表示名を登録可能である。当該情報処理装置は、登録されたユーザ情報の一覧を表示する際に、表示名が登録されているユーザについてはユーザ識別情報を表示せずに表示名を表示し、表示名が登録されていないユーザについてはユーザ識別情報を表示するよう表示制御を行う。そして、当該情報処理装置は、表示された表示名又はユーザ識別情報が選択されると、選択された表示名又はユーザ識別情報に対応するユーザとしてログインさせるためのログイン処理を行う。よって、ユーザは表示名を登録しておけば当該表示名を選択するだけで情報処理装置にログインできる。一方で、選択画面上に同一の名称が表示されると、ユーザは誤って他のユーザの情報を選択してしまう可能性がある。よってこのような選択ミスを防ぐため、本実施形態における情報処理装置は、選択画面上に表示される名称に重複が生じないように、表示名の登録を制限している。
【００８８】
より具体的には、ユーザ情報を新規に登録する際には、新規登録対象のユーザの表示名として入力された情報が、ユーザ情報を登録済みの他のユーザの表示名と重複している場合に、当該入力された表示名の登録が制限される。これにより、他のユーザとの表示名の重複を防ぐことができる。また、新規登録対象のユーザの表示名として入力された情報が、ユーザ情報を登録済みであって表示名を未登録の他のユーザのユーザ識別情報と重複している場合も、当該入力された表示名の登録を制限する。これにより、登録しようとした表示名と、表示名を未登録の他のユーザのユーザ識別情報との重複を防ぐことができる。
【００８９】
また、新規登録対象のユーザのユーザ識別情報として入力された情報が、登録済みの他のユーザの表示名と重複している場合にも、当該入力されたユーザ識別情報の登録が制限される。これにより、新規登録対象のユーザの表示名を未登録とした場合であっても、新規に登録されるユーザ識別情報が他のユーザの表示名と重複することを防ぐことができる。
【００９０】
また、登録済みのユーザ情報を編集する際には、編集対象のユーザの表示名が空白に変更される場合で、当該ユーザのユーザ識別情報が登録済みの他のユーザの表示名と重複している場合には、表示名の空白への変更が制限される。これにより、表示名が空白になることにより表示されるユーザ識別情報と、他のユーザの表示名とが重複することを防ぐことができる。また、編集対象のユーザの変更後の表示名が、登録済みの他のユーザの表示名と重複している場合にも当該表示名の変更が制限される。これにより、表示名の変更による他のユーザの表示名との重複を防ぐことができる。更に、編集対象のユーザの変更後の表示名が、登録済みの他のユーザであって表示名を未登録の他のユーザのユーザ識別情報と重複している場合にも、当該表示名の変更が制限される。これにより、変更後の表示名と、表示名を未登録の他のユーザのユーザ識別情報との重複を防ぐことができる。
【００９１】
そして、本発明は、以下の処理を実行することによっても実現される。即ち、上述した実施形態の機能を実現するソフトウェア（プログラム）をネットワーク又は各種記憶媒体を介してシステム或いは装置に供給し、そのシステム又は装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2017021582.tif 000004
【図２】
2017021582.tif 000005
【図３】
2017021582.tif 000006
【図４】
2017021582.tif 000007
【図５】
2017021582.tif 000008
【図６】
2017021582.tif 000009
【図７】
2017021582.tif 000010
【図８】
2017021582.tif 000011
【図９】
2017021582.tif 000012
【図１０】
2017021582.tif 000013
【図１１】
2017021582.tif 000014
【図１２】
2017021582.tif 000015
【図１３】
2017021582.tif 000016
【図１４】
2017021582.tif 000017
【図１５】
2017021582.tif 000018